(57)【特許請求の範囲】
【請求項１】
映像または音声の少なくとも一つを含むストリーム情報が記録されている第一の記憶手段と、前記第一の記憶手段から情報を取得する情報読み取り手段と、前記情報読み取り手段で読み出された情報の解析を行う読み取り情報解析手段と、前記情報読み取り手段で読み出された情報および、前記読み取り情報解析手段で解析された情報を記録する第二の記憶手段と、前記情報読み取り手段で読み出された情報に対して編集操作を行い、前記第二の記憶手段に記憶されている情報に対する編集履歴の反映および、前記第一の記憶手段に記憶されている情報への編集内容の反映を行う情報編集手段と、前記情報編集手段で編集された情報に対してキャンセル処理や中断処理を行う編集中断手段と、前記編集中断手段から要求された編集中断要求に基づき、編集後および編集途中の情報を前記第二の記憶手段から取得し、編集前の情報に戻して前記第一の記憶手段に記録する情報変更手段とから構成される情報記録編集方法。
【請求項２】
前記読み取り情報解析手段が、前記情報読み取り手段で読み出された情報のサイズ情報を元に保存する情報の内容を判定する情報サイズ判定手段と、読み出された情報をそのまま記録することを指示する情報ファイル記録指示手段と、読み出された情報の属性情報のみ記録することを指示するファイル属性情報記録指示手段とから構成される請求項１記載の情報記録編集方法。
【請求項３】
前記第二の記憶手段が、前記情報読み取り手段で読み出された情報そのままを記録する情報ファイル記憶手段と、前記読み取り情報解析手段で解析された読み取り情報の属性情報を記録するファイル属性情報記録手段とから構成される請求項１記載の情報記録編集方法。
【請求項４】
前記情報変更手段が、前記第二の記憶手段に記憶されている情報を前記第一の記憶手段に置き換える処理を行う情報置換手段と、前記第二の記憶手段に記憶されている属性情報に基づいて前記第一の記憶手段に記憶されている情報のサイズ変更を行う情報サイズ変更手段とから構成される請求項１記載の情報記録編集方法。
【発明の詳細な説明】
【０００１】
【発明の属する技術分野】
本発明はディジタル情報分野における情報記録および情報編集に関するものである。
【０００２】
【従来の技術】
以下、図５を用いて従来の技術を説明する。図５は、従来の情報記録編集方法の構成図を示すものである。図５において、１１は映像または音声の少なくとも一つを含むストリーム情報が記録されている第一の記憶手段、１２は第一の記憶手段から情報を取得する読み取り手段、５４は読み取り手段で読み出された情報を一時記憶する第二の記憶手段、１５は情報読み取り手段１２により読み出された情報を編集する情報編集手段、１６は情報編集手段１５で編集された内容のキャンセルや中断を行う編集中断手段、５７は編集中断手段で中断された内容に基づき第二の記憶手段１４に記録されている情報を第一の記憶手段１１に置き換える情報置換手段である。
【０００３】
【発明が解決しようとする課題】
読み出した情報に対して編集操作を行う場合には、編集途中でのアンドゥ操作、キャンセル操作および不慮の障害を含めた中断操作等に備えて、編集前の情報を別の記憶手段に保持して行う。この場合において、第一の記憶手段に記録されている情報のサイズが大きい場合には、編集前の情報を記憶する第二の記憶手段で必要とする容量が大きくなり、かつサイズが大きいためにそのアクセス速度も遅くなってしまう。このため、上記従来の構成では、編集対象の情報サイズが大きい場合には変更前の情報を保持することが困難であった。
【０００４】
本発明は、上記従来の問題点を解決するもので、編集前の情報を保持する場合をその編集対象の情報サイズに応じて、情報サイズが小さい場合には編集対象の情報をそのまま第二の記憶手段に保持し、情報サイズが大きい場合には、その情報のサイズ等の属性情報を第二の記憶手段に保持することにより、編集作業が情報への追加である場合において、情報サイズが大きい場合においても情報サイズの変更を行うという処理を行うことで、編集中断後の情報の置き換え処理が少ない記憶領域で高速に可能な情報記録編集方法を提供することを目的とする。
【０００５】
【課題を解決するための手段】
本発明は、上記問題を解決するために、映像または音声の少なくとも一つを含むストリーム情報が記録されている第一の記憶手段と、前記第一の記憶手段から情報を取得する情報読み取り手段と、前記情報読み取り手段で読み出された情報の解析を行う読み取り情報解析手段と、前記読み取り情報解析手段で解析された情報を記録する第二の記憶手段と、前記情報読み取り手段で読み出された情報に対して編集操作を行う情報編集手段と、前記情報編集手段で編集された情報に対してキャンセル処理や中断処理を行う編集中断手段と、前記編集中断手段で中断された編集後および編集途中の情報を編集前の情報に変更する情報変更手段を有している。
【０００６】
上記手段を用いることにより、編集前の情報を保持する場合をその編集対象の情報サイズに応じて、情報サイズが小さい場合には編集対象の情報をそのまま第二の記憶手段に保持し、情報サイズが大きい場合には、その情報のサイズ等の属性情報を第二の記憶手段に保持することにより、編集作業が情報への追加記録である場合において、情報サイズが大きい場合においても情報サイズの変更を行うという処理を行うことで、少ない記憶領域で編集中断後の情報の置き換え処理を高速に可能とするものである。
【０００７】
【発明の実施の形態】
以下、図１を用いて本発明の実施の形態を詳細に説明する。図１は、本発明の実施の形態を示す、情報記録編集方法の概略構成図である。図１において、１１は映像または音声の少なくとも一つを含むストリーム情報が記録されている第一の記憶手段、１２は第一の記憶手段１１から情報を取得する情報読み取り手段、１３は情報読み取り手段１２で読み出された情報の解析を行い、情報の属性情報等を取得する読み取り情報解析手段、１４は情報読み取り手段で読み出された情報および、読み取り情報解析手段１３で解析された情報を記録する第二の記憶手段、１５は情報読み取り手段１２で読み出された情報に対して追加、削除等の編集操作を行い、第二の記憶手段に記憶されている情報に対する編集履歴の反映および、第一の記憶手段に記憶されている情報への編集内容の反映を行う情報編集手段、１６は情報編集手段１５で編集された情報に対してキャンセル処理や中断処理を行う編集中断手段、１７は編集中断手段１６から要求された編集中断要求に基づき、編集後および編集途中の情報に対して編集前の情報を第二の記憶手段から取得して第一の記憶手段に記録する情報変更手段である。
【０００８】
以上のように構成された情報記録編集方法の動作について説明する。第一の記憶手段１１には、映像または音声の少なくとも一つを含むストリーム情報とそれらストリーム情報の属性やサイズ等の管理情報が記録されている。そして、情報読み取り手段１２によってストリーム情報が第一の記憶手段１１から読み出される。読み出された情報は読み取り情報解析手段１３により情報を解析する。この解析とは例えば、情報がファイルであった場合には、そのサイズや更新日時等の属性情報を取得するというような処理を行うことである。情報読み取り手段１２により読み出された情報、および読み取り情報解析手段１３により解析された情報は第二の記憶手段１４に記録されることとなる。また、情報読み取り手段１２によって読み出された情報に対して情報編集手段１５によって追加や削除等の編集操作が加えられた場合には、その編集結果である情報は第一の記憶手段１１に記録されると共に編集履歴の情報は第二の記憶手段１４に記録されることとなる。そして、編集操作に対して編集中断手段１６により、編集操作へのアンドゥ処理、キャンセル処理や不慮の問題発生を含めた中断処理が指示された場合には第一の記憶手段１１に記録されている情報を編集前の情報に戻す必要がある。編集操作前の情報およびその修正履歴情報を保持している第二の記憶手段１４から第一の記憶手段１１に記憶されている情報を編集前に戻すために必要な情報を読み出して情報変更手段１７により第一の記憶手段１１の情報を更新することとなる。ここでストリーム情報とは、例えばＭＰＥＧ２圧縮された映像情報、ＤＶＣカメラからキャプチャされた映像情報やＣＤからリッピングされた音声情報等のことである。また、第二の記憶手段とは、例えばハードディスクドライブやメモリといった記憶装置のことである。
【０００９】
以上のように本実施の形態によれば、編集操作がストリーム情報への追加記録の場合において、読み取り情報解析手段により読み込んだストリーム情報のサイズ情報等の属性情報が取得可能で第二の記憶手段にストリーム情報全体でなく属性情報のみを記録することも可能なことから、情報量が多いストリーム情報の場合においても第二の記憶手段に必要な記憶容量を大幅に削減しつつ、編集処理が中断された場合にストリーム情報のサイズを変更するという操作により編集前の状態に戻すことが可能となる。
【００１０】
次に、読み取り情報解析手段１３の詳細について説明する。図２は、本発明の読み取り情報解析手段１３の概略構成図である。図２において、２１は情報読み取り手段１２で読み出された情報のサイズ情報を元に保存する情報の内容を判定する情報サイズ判定手段、２２は読み出された情報をそのまま記録することを指示する情報ファイル記録指示手段、２３は読み出された情報の属性情報のみ記録することを指示するファイル属性情報記録指示手段である。
【００１１】
以上のように構成された実施の形態の読み取り情報解析手段１３の動作について説明する。情報サイズ判定手段２１は読み出された情報ファイルのサイズ情報を取得して第二の記憶手段１４の空き容量に応じて読み込んだ情報のすべてを保存するか、属性情報のみを保存するかどうかの判断を行い、読み込んだ情報のすべてを保存する場合には情報ファイル記憶指示手段２２、属性情報のみを保存する場合にはファイル属性情報記録指示手段２３に指示する。情報ファイル記録指示手段２２は、情報読み出し手段１２で読み出された情報を第二の記憶手段１４に記録することを指示する。またファイル属性情報記録指示手段２３は取得された情報の属性情報のみを第二の記憶手段１４に記録することを指示する。ここで属性情報とは、例えば読み出されたストリーム情報がファイルであった場合には、そのサイズ情報や作成日時情報のことである。
【００１２】
以上のように本実施の形態の読み取り情報解析手段１３によれば、情報サイズ判定手段２１により第二の記憶手段１４の空き容量により自動的に保存する情報を切り替えることが可能となることから使用者の負担を軽減することが可能となる。なお、上記のように情報サイズ判断手段２１を用いて、自動的に保存する情報の切り替えを行うことも可能だが、情報サイズ判断手段２１にあらかじめ記録する情報の内容を判定するための境界値を与えておくことも可能なのは勿論である。
【００１３】
さらに、第二の記憶手段１４の詳細について説明する。図３は、本発明の第二の記憶手段１４の概略構成図である。図３において、３１は情報読み取り手段１２で読み出された情報そのままを記録する情報ファイル記憶手段、３２は読み取り情報解析手段１３で解析された読み取り情報の属性情報を記録するファイル属性情報記録手段である。
【００１４】
以上のように構成された第二の記憶手段１４の動作について説明する。情報ファイル記憶手段３１は情報ファイル記憶指示手段２２によって指示された情報読み取り手段１２で読み出された情報を記録保存する。またファイル属性情報記録手段３２はファイル属性情報記録指示手段２３によって指示された情報読み取り手段１２で読み出された情報のファイルサイズや更新日時等の属性情報を記録保存すると共に、情報ファイル記憶手段３１に情報読み取り手段１２で読み出された情報が保存されている場合にはその関連性を管理する。
【００１５】
以上のように本実施の形態の第二の記憶手段１４によれば、記録する情報の内容に応じて情報ファイル記憶手段３１とファイル属性情報記録手段３２に別管理して保存することが可能となることから情報変更手段１７により第一の記憶手段１１に記録されている情報に対して行われる変更処理に必要な情報の選択や識別が効率的に可能となる。
【００１６】
また、ファイル属性情報記録手段３２には、変更の対象となるファイル情報の属性情報だけではなく、影響を及ぼす他のファイルの情報を保存しておくことにより複数のファイルへの変更が容易に可能となる。これは、第一の記憶手段１１にファイルＡとファイルＢが記録されており、ファイルＡがファイルＢの管理情報というような関連関係を持っている場合、ファイルＢに対する属性情報をファイル属性情報記録手段３２に記録する際には、ファイルＢとファイルＡは関連性があるという情報を記録しておく。より具体的に説明すると、例えば上記ファイルＡがＤＶＤビデオレコーディング規格における管理ファイルであるＶＲ＿ＭＡＮＧＲ．ＩＦＯ、ファイルＢがＶＲ＿ＭＡＮＧＲ．ＩＦＯに対応するストリーム情報を記録したＶＲ＿ＭＯＶＩＥ．ＶＲＯ等のファイルの場合、ＶＲ＿ＭＯＶＩＥ．ＶＲＯ等のストリーム情報への編集操作を行った場合には必ず管理ファイルであるＶＲ＿ＭＡＮＧＲ．ＩＦＯへのその編集内容の反映が必要となる。この場合、ＶＲ＿ＭＯＶＩＥ．ＶＲＯに対してファイル属性情報記録手段３２に記録される属性情報内に関連する管理ファイルであるＶＲ＿ＭＡＮＧＲ．ＩＦＯへも変更が必要である旨の情報を記録しておく。これにより上記のような効果が得られることとなる。
【００１７】
さらに、情報変更手段１７の詳細について説明する。図４は、本発明の情報変更手段１７の概略構成図である。図４において、４１は第二の記憶手段１４に記憶されている情報を第一の記憶手段１１に置き換える処理を行う情報置換手段、４２は第二の記憶手段１４に記憶されている属性情報に基づいて前記第一の記憶手段１１に記憶されている情報のサイズ変更を行う情報サイズ変更手段である。
【００１８】
以上のように構成された情報変更手段１７の動作について説明する。情報置換手段４１は第一の記憶手段１１から情報読み出し手段１２により読み出された編集操作前の情報である第二の記憶手段１４に記憶されている情報を第一の記憶手段１１に置き換える処理を行う。また情報サイズ変更手段４２は第一の記憶手段１１から情報読み出し手段１２により読み出され、読み出し情報解析手段１３で解析された編集操作前の属性情報である第二の記憶手段１４に記憶されている情報をもとにして第一の記憶手段１１に記憶されている情報のサイズ変更を行う。ここで、第一の記憶手段１１に記憶されている情報のサイズ変更を行う処理とは例えばＷｉｎｄｏｗｓのファイルの場合においては、ファイルの終端サイズを指定するような処理である。
【００１９】
以上のように本実施の形態の情報変更手段１７によれば、情報サイズ変更手段４２により第二の記憶手段１４に記憶されている属性情報内の編集操作前のファイルサイズ情報に基づいて第一の記憶手段１１に記録されているファイルのサイズをファイル終端サイズの指定というような高速な処理にて編集操作前の状態に変更することが可能となる。
【００２０】
さらに詳しく説明を行う。第一の記憶手段１１に記憶されているストリーム情報の情報量が多い場合には、情報読み取り手段１２では情報量の多いストリームを読み込むこととなる。この場合には読み取り情報解析手段１３によりストリーム情報のサイズ情報や日時情報等の属性情報の取得を行い、第二の記憶手段１４に編集前の情報として記憶する。この処理により、第一の記憶手段１１に記憶されている情報量に比べ第二の記憶手段１４に記憶される情報量は非常に少ない情報量とすることができる。この場合においても情報編集手段１５で行われる編集操作が第一の記憶手段１１の情報に対する追加操作である場合には、編集操作途中に編集中断手段１６で中断処理が行われても、第一の記憶手段１１の情報を編集前の情報に戻すために必要な追加操作前のファイルサイズ情報等を第二の記憶手段１４から取得して情報変更手段１７により、第一の記憶手段１１に記憶されている情報のサイズ変更処理を行い、編集操作前の情報に戻すことが可能となる。
【００２１】
また、第一の記憶手段１１に記憶されているストリーム情報の情報量が少ない場合には、情報読み取り手段１２では読み込まれる情報量は少なくなるため、読み取り情報解析手段１３で特に属性情報を取得するような情報のカスタマイズ処理を行うことなく読み込まれた情報そのままを第二の記憶手段１４に記憶することもできる。この場合、情報編集手段１５での編集操作途中に編集中断手段１６による中断処理が行われた時には、第二の記憶手段１４に記憶されている編集前の情報である情報読み取り手段１２で読み出された情報を読み出し情報変更手段１７により第一の変更手段１１に情報を書き戻す処理を行うこととなる。
【００２２】
そして、情報編集手段１５による編集操作が複数の情報に及ぶ場合においては、情報編集手段１５による編集内容を第二の記憶手段１４に記録しておく際に、ファイル属性情報記録手段３２に対して、変更の対象となるファイル情報の変更履歴情報だけではなく、影響を及ぼす他のファイルに対する情報を保存しておくことにより複数のファイルへの変更が容易に可能となる。ここで、影響を及ぼす他のファイルに対する情報とは、例えばファイルのパスおよびファイル名やフォルダ名を意味する。
【００２３】
【発明の効果】
以上のように、本発明によれば、編集操作がストリーム情報への追加記録の場合において、読み取り情報解析手段により読み込んだストリーム情報のサイズ情報等の属性情報が取得可能で第二の記憶手段にストリーム情報全体でなく属性情報のみを記録することも可能なことから、情報量が多いストリーム情報の場合においても第二の記憶手段に必要な記憶容量を大幅に削減しつつ、編集処理が中断された場合にストリーム情報のサイズを変更するという操作により編集前の状態に戻すことが可能となる。また、情報サイズ判定手段により第二の記憶手段の空き容量により自動的に保存する情報を切り替えることが可能となることから使用者の負担を軽減することが可能となる。さらに、記録する情報の内容に応じて情報ファイル記憶手段とファイル属性情報記録手段に別管理して保存することが可能となることから情報変更手段により第一の記憶手段に記録されている情報に対して行われる変更処理に必要な情報の選択や識別が効率的に可能となる。さらにまた、情報サイズ変更手段により第二の記憶手段に記憶されている属性情報内の編集操作前のファイルサイズ情報に基づいて第一の記憶手段に記録されているファイルのサイズをファイル終端サイズの指定というような高速な処理にて編集操作前の状態に変更することが可能となる。
【００２４】
以上の効果を得るための構成はこれまで説明した通り、従来のシステム構成を大きく変えることなく、ほぼ同様の構成で行うことができる。上記のように、本発明は、編集対象の情報のサイズが大きな場合には特に有効であると考える。
【図面の簡単な説明】
【図１】本発明の実施の形態における情報記録編集方法の概略構成図
【図２】本発明の実施の形態における読み取り情報解析手段の概略構成図
【図３】本発明の実施の形態における第二の記憶手段の概略構成図
【図４】本発明の実施の形態における情報変更手段の概略構成図
【図５】従来の情報記録編集方法の概略構成図
【符号の説明】
１１  第一の記憶手段
１２  情報読み取り手段
１３  読み取り情報解析手段
１４，５４  第二の記憶手段
１５  情報編集手段
１６  編集中断手段
１７  情報変更手段
２１  情報サイズ判定手段
２２  情報ファイル記録指示手段
２３  ファイル属性情報記録指示手段
３１  情報ファイル記憶手段
３２  ファイル属性情報記憶手段
４１、５７  情報置換手段
４２  情報サイズ変更手段
【図１】
0004356273.tif 000002
【図２】
0004356273.tif 000003
【図３】
0004356273.tif 000004
【図４】
0004356273.tif 000005
【図５】
0004356273.tif 000006